(57)【要約】  【課題】効率良く製造でき、全体として十分な質量と強度を備えたコイン型記憶媒体を提供する。  【解決手段】本発明に係るコイン型記憶媒体は、環状に巻いた線材で形成されたコイル状パターン(1a)を備えるＩＣタグ(1)と、質量調整補強材(2)と、樹脂で形成された外殻体(3)とで構成される。該質量調整補強材(2)は該コイル状パターン(1a)の内側に配置されていても良く、該外殻体(3)が中空の円板状をなす場合は、該ＩＣタグ(1)の該コイル状パターン(1a)が該外殻体の内周面に沿って配置されていてもよい。【選択図】  図１
2008108000.tif 000002
【特許請求の範囲】
【請求項１】
環状に巻いた線材で形成されたコイル状パターン(1a)を備えるＩＣタグ(1)と、質量調整補強材(2)と、樹脂で形成された外殻体(3)とで構成されることを特徴とするコイン型記憶媒体。
【請求項２】
該質量調整補強材(2)が該コイル状パターン(1a)の内側に配置されている請求項１に記載のコイン型記憶媒体。
【請求項３】
該外殻体(3)は中空の円板状をなし、該ＩＣタグ(1)の該コイル状パターン(1a)が該外殻体(3)の内周面に沿って配置されている請求項１又は２に記載のコイン型記憶媒体。
【発明の詳細な説明】
【技術分野】
【０００１】
本発明は、通信により非接触でデータの授受を行うことのできるＩＣタグを装備した記憶媒体のうち、特に円板形状のコイン型記憶媒体に関するものである。
【背景技術】
【０００２】
商品代金の精算に用いられるプリペイドカードは、接触式の磁気カードから非接触式のＩＣカード（ＩＣタグを装備したカード）に移行しつつあるが、このＩＣカードは非接触式であるため、支払に必要な所定の情報を保持し、通信機能を備えるものでさえあれば、その形状に制限はない。そこで、近年では、一般的な長方形のカードに代わり、代金精算機能を備えた携帯電話等も使用されるようになっている。
【０００３】
パチンコやスロットマシーンなどによる娯楽を提供する遊戯施設においても、従来の磁気カードに代わってＩＣカードが球やコインの貸し出しに際し用いられるようになってきているが、近年では、更に、一般的な長方形のカードに代わり、ＩＣタグを搭載したコイン（以下、コイン型記憶媒体と称す）が使用されつつある。
【０００４】
上記コイン型記憶媒体は、合成樹脂で形成した円板状の外殻体内部にＩＣタグを配置して作ることができるが、この種の記憶媒体は、球やコインの貸し出し機に硬貨と同様に投入する方式での使用が望まれているところ、その質量が小さすぎると、機械への投入に際し不具合が生じることが多くなるという問題があった。そこで、コイン型記憶媒体の質量を大きくするための方法が提案されており、そのような方法として、例えば、特許第３５３３４９７号公報や、特許第３５５４２９５号公報に開示されている製造方法がある。
【０００５】
特許第３５３３４９７号公報に開示されている製造方法では、コイン型記憶媒体の外殻体を構成する樹脂材料に高比重材料を混合することにより、重量化を図ることができる。一方、特許第３５５４２９５号公報に開示されている製造方法では、コイン型記憶媒体の外殻体の周縁部を金属リングで形成することにより、重量化を図ることができる。
【特許文献１】特許第３５３３４９７号公報
【特許文献２】特許第３５５４２９５号公報
【発明の開示】
【発明が解決しようとする課題】
【０００６】
しかしながら、特許第３５３３４９７号公報に開示されている製造方法では、高比重材料の混合が樹脂材料の流動性を悪化させ、製造効率を低下させるという問題があった。また、高比重材料として使用される金属粉末が製造に使用される金型の摩耗を早め、コストを増大させるという問題もあった。
【０００７】
一方、特許第３５５４２９５号公報に開示されている製造方法で製造されるコイン型記憶媒体は、内部に配置されるＩＣタグの基板の形状により、補強材を配置できる場所が限定されいた。そのため、補強材が配置されず金属リングによる支持が及ばない中央部分において強度が低くなるという問題があった。
【０００８】
そこで本発明は、効率良く製造でき、全体として十分な質量と強度を備えたコイン型記憶媒体を提供することを目的とする。
【課題を解決するための手段】
【０００９】
本発明に係るコイン型記憶媒体は、環状に巻いた線材で形成されたコイル状パターンを備えるＩＣタグと、質量調整補強材と、樹脂で形成された外殻体とで構成される。
【００１０】
該質量調整補強材は、該コイル状パターンの内側に配置されていてもよい。
【００１１】
該外殻体は中空の円板状をなし、該ＩＣタグは該コイル状パターンが該外殻体の内周面に沿って配置されていてもよい。
【発明の効果】
【００１２】
本発明にかかるコイン型記憶媒体は、環状に巻いた線材で形成されたコイル状パターンを備えるＩＣタグが独立して安定した構造であるため、質量調整補強材の配置が制約されず、それぞれを自由に配置することが可能となる。そのため、ＩＣタグと質量調整補強材を最適な状態で配置することにより、コイン型記憶媒体の質量を必要なものとしながら全体的な強度を高めることができる。また、質量調整補強材のみで質量と強度を調整できるため、樹脂に高比重材料等を混合することなく、製造効率とコスト面で優れた樹脂を使用することができる。
【００１３】
ＩＣタグと質量調整補強材が配置される位置に制限はなく、適宜最適な配置位置とすれば良いが、例えば、質量調整補強材を、コイル状パターンの内側に配置してもよい。この場合、コイル状パターンの内側にできる空間を質量調整用として有効に利用するとともに、樹脂で形成された外殻体の強度が最も弱くなる部位を簡単に補強できる。
【００１４】
また、樹脂で形成した外殻体が中空の円板状であれば、周縁部は周壁により強度を高めることができるので、この部位に補強材を配置する必要がない。そのため、コイル状パターンがこの外殻体の内周面に沿って配置される大きさのＩＣタグを採用することにより、コイル状パターンの内側の質量調整用空間を大きくし、質量調整の幅を広げることができる。
【発明を実施するための最良の形態】
【００１５】
図１は本発明に係るコイン型記憶媒体の具体例を示し、（ａ）は分解斜視図、（ｂ）は完成状態の斜視図である。
このコイン型記憶媒体は、ＩＣタグ１と、質量調整補強材２と、樹脂で形成された外殻体３とで構成される。ＩＣタグ１は、環状に巻いた線材で形成されたコイル状パターン１ａを備え、このコイル状パターン１ａにはＩＣチップ１ｂが溶着されている。なお、線材には、銅線が採用されている。外殻体３は、円形底板の周縁に沿って側壁を設けた形状の扁平部材の一対３ａ、３ｂで構成される中空の円板状で、両部材３ａ、３ｂの底板と側壁で囲まれて形成される内部空間に、ＩＣタグ１と質量調整補強材２を内包する構造となっている。質量調整補強材２は、この外殻体３の内部に収まる大きさの円板で、このコイン型記憶媒体全体として必要とされる質量を持たせるため、金属で形成されたものとなっている。ただし、質量調整補強材２の材質に制限はなく、十分な質量と強度を得られるものであればその他の材質のものであってもよい。
【００１６】
このコイン型記憶媒体は、環状に巻いた線材で形成されたコイル状パターン１ａを備えるＩＣタグ１が独立して安定した構造であるため、質量調整補強材２の配置が制約されず、それぞれを自由に配置することが可能となる。そのため、ＩＣタグ１と質量調整補強材２を最適な状態で配置することにより、コイン型記憶媒体の質量を必要なものとしながら全体的な強度を高めることができる。また、質量調整補強材２のみで質量と強度を調整できるため、樹脂に高比重材料等を混合することなく、製造効率とコスト面で優れた樹脂を使用することができる。
【００１７】
質量調整補強材２は、その直径がコイル状パターン１ａよりも小さく、コイル状パターン１ａの内側に配置されている。この場合、コイル状パターン１ａの内側にできる空間が質量調整用として有効に利用しながら、外殻体３の強度が最も弱くなる部位が簡単な構造で補強することができる。
【００１８】
外殻体３は上述の通り中空の円板状となっている。そして、周縁部の強度は周壁により高められておりこの部位に補強材を配置する必要がないことから、コイル状パターン１ａが外殻体３の内周面に沿って配置される大きさのＩＣタグ１が採用されている。そのため、コイル状パターン１ａの内側の質量調整用空間が大きくされ、質量調整の幅を広げることができるものとなっている。
【００１９】
なお、外殻体３の内面には、ＩＣタグ１と質量調整補強材２の配置位置を安定させるため、これらを抑える図示しない突起が設けられている。ただし、突起の形状に制限は無く、ＩＣタグ１と質量調整補強材２の配置状態に応じて、適切な形状のものを適宜設ければ良い。
【図面の簡単な説明】
【００２０】
【図１】本発明に係るコイン型記憶媒体の具体例を示し、（ａ）は分解斜視図、（ｂ）は完成状態の斜視図である。
【符号の説明】
【００２１】
１    ＩＣタグ
１ａ  コイル状パターン
２    質量調整補強材
３    外殻体
【図１】
2008108000.tif 000003